(57)【要約】単一値カードのグループと二重値カードのグループとを備えて成るトランプカードセットの構成が開示される。一つの実施形態において、従来の高値カードの選択グループの力は、従来の低値カードの選択グループにシフトされる。トランプゲームで勝ち札の可能性を増加するために、開示されたトランプカードセットを使用する方法も記述される。
2009508572.tif 000002
【特許請求の範囲】
【請求項１】
単一値カードを含む第一カードグループであって、その各単一値カードがクラブ、スペード、ダイヤ、ハートから選択されたトランプマークのトランプカード値を表す表示を含む第一カードグループと、
二重値カードを含む第二カードグループであって、その各二重値カードがクラブ、スペード、ダイヤ、ハートから選択された一つ以上のトランプマークの少なくとも２つのトランプカード値を表す表示を含み、二重値カードそれぞれの少なくとも２つのトランプカード値の算術合計が１１と等しい第二カードグループと、
を備えて成るトランプカードセット。
【請求項２】
二重値カードそれぞれにおけるトランプカード値が、明確に異なるトランプマークからなる、請求項１のカード。
【請求項３】
二重値カードのそれぞれに関して、組み合わされるトランプマークは、組み合わされるトランプマークの各トランプカード値にとって同一である、請求項１に記載のカード。
【請求項４】
各二重値カードが、二重値カードの表面での２つのカード値の一方だけを表示するように構成される、請求項１に記載のトランプカード。
【請求項５】
２つのカード値の一方だけが二重値カードの表面で優位を占めるように、各二重値カードが構成される、請求項１のトランプカード。
【請求項６】
一枚以上の二重値カードが１１のトランプカード値を割当てられる、請求項１のトランプカード。
【請求項７】
２０枚の単一値カードを含む第一カードグループと、
３２枚の二重値カードを含む第二カードグループと、
を備えて成るトランプカードセット。
【請求項８】
第二カードグループのそれぞれの表面が、第一の及び第二の特有な区域を含み、その第一の及び第二の特有な区域のそれぞれが、クラブ、スペード、ダイヤ、ハートから選択されたトランプマークの２から９までのグループから選択されたトランプカード値を表す表示を含む、請求項７のカード。
【請求項９】
第一カードグループそれぞれの表面が、クラブ、スペード、ダイヤ、ハートから選択されたトランプマークの１０、ジャック、クィーン、キング、エースのグループから選択されたトランプカード値を表す表示を含む、請求項７のカード。
【請求項１０】
第一カードグループそれぞれの表面が、第一の及び第二の特有の区域を含み、その第一の及び第二の区域それぞれが、クラブ、スペード、ダイヤ、ハートから選択されたトランプマークの１０、ジャック、クィーン、キング、エースのグループから選択されたトランプカード値を表す表示を含む、請求項７のカード。
【請求項１１】
第一の及び第二の区域におけるトランプマークが同一である、請求項１０のカード。
【請求項１２】
第一の及び第二の区域におけるトランプカード値が同一である、請求項１０のカード。
【請求項１３】
二重値カードそれぞれのトランプカード値の算術合計が１１である、請求項７に記載のカード。
【請求項１４】
３６枚の単一値カードを有する第一カードグループと、
１６枚の二重値カードを有する第二カードグループと、
を備えて成るトランプカードセット。
【請求項１５】
第一カードグループそれぞれの表面が、クラブ、スペード、ダイヤ、ハートから選択されたトランプマークの１０からエースまでのグループ及び２から５までのグループから選択されたトランプカード値を表す表示を含む、請求項１４のカード。
【請求項１６】
第一カードグループそれぞれの表面が、第一の及び第二の特有な区域を含み、
第一の及び第二の区域それぞれが、クラブ、スペード、ダイヤ、ハートから選択されたトランプマークの１０からエースまでのクループ及び２から５までのグループから選択されたトランプカード値を表す表示を含む、請求項１４のカード。
【請求項１７】
第一の及び第二の区域でのトランプマークが同一である、請求項１６のカード。
【請求項１８】
第一の及び第二の区域でのトランプカード値が同一である、請求項１６のカード。
【請求項１９】
第二カードグループそれぞれの表面が、第一の及び第二の特有な区域を含み、
第一の区域は、クラブ、スペード、ダイヤ、ハートから選択されたトランプマークの２から５までのグループから選択されたトランプカード値を表す表示を含み、
第二の区域は、クラブ、スペード、ダイヤ、ハートから選択されたトランプマークの６から９までのグループから選択されたトランプカード値を表す表示を含む、
請求項１４のカード。
【請求項２０】
２０枚の単一値カードを含む第一カードグループと、
１６枚の二重値カードを備えて成る第二カードグループと、
を備えて成るトランプカードセット。
【請求項２１】
トランプゲームでのカードの組み合わせを増加するための方法にして、
単一値カードの第一グループと二重値カードの第二グループとにカードを分離するステップと、
二重値カードそれぞれのトランプカード値の算術合計を１１に限定するステップと、
を備えて成る方法。
【請求項２２】
第一グループのカードの表面に、クラブ、スペード、ダイヤ、ハートから選択されたトランプマークの１０からエースまでのグループから選択されたトランプカード値を割当てるステップをさらに備えて成る、請求項２１の方法。
【請求項２３】
一つ以上のトランプマークを高位のトランプマークとして指定するステップをさらに備えて成る、請求項２１に記載の方法。
【請求項２４】
一つ以上の高位のトランプマークに第二カードグループの第一の及び第二の特有な区域からの最も高いトランプカード値を割当てるステップを更に備えて成る、請求項２３に記載の方法。
【請求項２５】
一つ以上の高位のトランプマークに第二カードグループの第一のあるいは第二の特有な区域のいずれか一方からのトランプカード値でプレーすることを許容するステップをさらに備えて成る、請求項２３に記載の方法。
【請求項２６】
一つ以上のトランプマークを低位のトランプマークとして指定するステップをさらに備えて成る、請求項２１に記載の方法。
【請求項２７】
第二カードグループの第一の及び第二の特有な区域からの最も低いトランプカード値を一つ以上の低位のトランプマークに割当てるステップを更に備えて成る、請求項２６に記載の方法。
【請求項２８】
一枚以上の二重値カードに対して、１１のトランプカード値を割当てるステップをさらに備えて成る、請求項２１の方法。
【請求項２９】
第一カードグループの表面に第一の及び第二の特有な区域を規定するステップと、
クラブ、スペード、ダイヤ、ハートから選択されたトランプマークの１０からエースまでのグループから選択されたトランプカード値を第一の及び第二の区域のそれぞれに割当てるステップと、
をさらに備えて成る、請求項２１の方法。
【請求項３０】
第二カードグループの表面に第一の及び第二の特有な区域を規定するステップと、
クラブ、スペード、ダイヤ、ハートから選択されたトランプマークの２から９までのグループから選択されたトランプカード値を第一の及び第二の区域のそれぞれに割当てるステップと、
をさらに備えて成る、請求項２１の方法。
【請求項３１】
トランプゲームで２から９までのカードのための選択の組み合わせを増加するための方法にして、
単一値カードの第一グループと二重値カードの第二グループとにカードを分離するステップと、
二重値カードそれぞれのトランプカード値の算術合計を１１に限定するステップと、
を備えて成る方法。
【請求項３２】
トランプゲームで２から９までのカードのための選択の組み合わせを二倍にするための方法にして、
単一値カードの第一グループと二重値カードの第二グループとにカードを分離するステップと、
二重値カードそれぞれのトランプカード値の算術合計を１１に限定するステップと、
を備えて成る方法。
【請求項３３】
トランプゲームでカードの組み合わせを減少させるための方法にして、
単一値カードの第一グループと二重値カードの第二グループとにカードを分離するステップと、
二重値カードそれぞれのトランプカード値の算術合計を１１に限定するステップと、
を備えて成る方法。
【請求項３４】
各二重値カードに、２つのカード値及びトランプマークの特定の一方を割当てるステップをさらに備えて成る、請求項３３に記載の方法。
【請求項３５】
１０からエースまでのトランプカード値を有するトランプから、２から９までのトランプカード値を有するカードに、トランプゲームにおける力を転移させる方法にして、
単一値カードの第一グループと二重値カードの第二グループとにカードを分離するステップと、
二重値カードそれぞれのトランプカード値の算術合計を１１に限定するステップと、
を備えて成る方法。
【請求項３６】
単一値カードの第一グループにカードをグループ化するための手段と、
二重値カードの第二グループにカードをグループ化するための手段と、
各二重値上のトランプカード値の算術合計を１１に限定するための手段と、
を備えて成るトランプカードセット。
【請求項３７】
ゲームでカードの組み合わせを増加するための手段を備えて成るトランプカードセット。
【請求項３８】
ゲームで２から９までのカードのための選択の組み合わせを増加するための手段を備えて成るトランプカードセット。
【請求項３９】
ゲームで２から９までのカードのための選択の組み合わせを二倍にするための手段を備えて成るトランプカードセット。
【請求項４０】
ゲームでカードの組み合わせを減少させるための手段を備えて成るトランプカードセット。
【請求項４１】
１０からエースまでのトランプカード値を有するカードから、２から９までのトランプカード値を有するカードに、力を転移させるための手段を備えて成るトランプカードセット。
【請求項４２】
一つ以上のトランプゲームをプレーするための機器にして、
単一値カードを含む第一カードグループであって、各単一値カードがクラブ、スペード、ダイヤ、ハートから選択されたトランプマークのトランプカード値を表す表示を含む第一カードグループと、
二重値カードを含む第二カードグループであって、各二重値カードがクラブ、スペード、ダイヤ、ハートから選択された一つ以上のトランプマークの少なくとも２つのトランプカード値を表す表示を含み、二重値カードそれぞれの少なくとも２つのトランプカード値の算術合計が１１に等しい第二カードグループと、
を備えて成る機器。
【請求項４３】
各二重値カードが、二重値カード表面の２つのカード値の一方だけを表示するように構成される、請求項４２に記載の機器。
【請求項４４】
２つのカード値の一方だけが二重値カードの表面で優位を占めるように、各二重値カードが構成される、請求項４２の機器。
【請求項４５】
ゲームの持ち札を実現するための手段をさらに備えて成る、請求項４２の機器。
【請求項４６】
機器を操作するための手段をさらに備えて成る、請求項４２の機器。
【請求項４７】
二重値カードの２つのカード値及びトランプマークの内の一方を選択する手段をさらに備えて成る、請求項４２の機器。
【請求項４８】
電子機器を備えて成る、請求項４２に記載の機器。
【請求項４９】
電子機械機器を含む、請求項４２に記載の機器。
【請求項５０】
機械機器を備えて成る、請求項４２の機器。
【請求項５１】
コンピューターを含む、請求項４２の機器。
【請求項５２】
携帯型機器を備えて成る、請求項４２の機器。
【請求項５３】
携帯型機器が電子機器である、請求項５２の機器。
【請求項５４】
一枚以上の二重値カードのために１１のトランプカード値を選択するための手段をさらに備えて成る、請求項４２の機器。
【請求項５５】
一枚以上の二重値カードを１１のトランプカード値としてプレーするための手段をさらに備えて成る、請求項４２の機器。
【発明の詳細な説明】
【技術分野】
【０００１】
本発明は、トランプカードに関する。より詳しくは、この発明は、個々のカードの一部が２つの異なるカード値及び／又はトランプマークを示すトランプカードセットに関する。
【背景技術】
【０００２】
【特許文献１】U.S. Patent Number 821781
【特許文献２】Canadian Patent Number 261488
【特許文献３】U.S. Patent Number 1693525
【特許文献４】U.S. Patent Number 4588193
【特許文献５】U.S. Patent Number 1798672
【特許文献６】U.S. Patent Number 1551761
【特許文献７】U.S. Patent Number 4170358
【０００３】
５２枚のカードを備えて成るトランプカードのデッキであって、そのカードのそれぞれが４つのトランプマーク（クラブ、ダイヤ、ハート、スペード）の一つの２からエースまでの異なるカード値を示すトランプカードのデッキ（以下、標準デッキと称す）が、従来からよく知られている。多種多様のトランプゲームをプレーするためのこの種の標準デッキの使用もまた、従来からよく知られている。標準デッキでトランプゲームをプレーすることに付随する事実は、プレーヤーの間で共用されなければならない高値カードの不足である。勝つことを約束する持ち札は、ゲームにおいて最も乏しい持ち札に限定される。標準デッキの各カードは、その表面に示される値でプレーされなければならない一方で、ワイルドカードが高値カードの比率を向上させようとしてゲームに導入される。
【０００４】
新しいゲームや古いゲームのバリエーション等をプレーするために、新しく且つ異なったレイアウト及び／又はトランプカードの種類に関して従来から多くの提案が存在する。標準デッキの一つのよく知られた変更乃至改変では、その表面に示されるように、個々のカードそれぞれが一つ以上のカード値を示すカードセットを提供することである。この種の二重値カードは、様々な目的のためにゲームで用いられる。例えば、エース及び６の両方として評価されるカードを、そのカードを保持するプレーヤーの最も有利ないずれかでプレーすることができる。
【０００５】
カドワランダー（Cadwallader）による特許文献１は、個々のカードそれぞれの表面に２つの又は複数の選択的なカード値を備えたカードセットを開示し、当該カードでは、カード値が一種類のトランプマークの異なるカード値を備えて成るか、又は、異なるトランプマークの同じかあるいは異なるカード値を備えて成り、そのカード値から、一つのカード値がプレーヤーによって望まれるようにプレーのために選択される。プレーしている間、個々のトランプマークは、上位又は下位のトランプマークのいずれかに指定される。
【０００６】
マッキャロル（McCarroll）による特許文献２は、各カードがその表面上に、一つのカード値を示す内側部と、異なるカード値を示す周囲の外側部とを有するカードデッキを記述する。本セットは、そのそれぞれが５２枚のカードの完全なセットを備えて成る事実上２つのセットから成るが、物理的なセットは全部で５２枚だけのカードを有する。トランプゲームにおいて、プレーヤーは、内側カード値か外側カード値のいずれかでプレーすることを選択する。同様に、ニーデルリッツ（Niederlitz）による特許文献３は、異なるカード値とトランプマークとの内側及び外側区域によって示される８つの異なるトランプマークを有する５２枚のカードデッキを開示する。
【０００７】
所定のトランプマークの全ての数のカード値が他のトランプマークの全ての数のカード値と一度は組み合わされるように構成された二重値カードデッキが、ウィンストン（Winston）による特許文献４に記述される。本デッキは、一種類のトランプマークにつき４つの異なる数のカード値を備えた３つの異なるトランプマークから成る６０枚の二重値カードと、そのトランプマークに関してオールマイティである５つの数のカード値から成る１２枚の半オールマイティカードとを備えて成る。
【０００８】
ハインズ（Hines）による特許文献５は、各カードを異なる記号表示と色とを載せる２つの領域に分割する斜めストリップを備えたカードデッキを示す。二重値カードを備えたデッキの別の代わりの形態がマッキャロル（McCarroll）による特許文献６に開示される。
【０００９】
特許文献７において、ハンコック（Hancock）は、５２枚のカードデッキを明らかにし、そこでは、一方の区域におけるカード値が他方の区域におけるカード値とは明確に異なるように構成された、３からエースまでの範囲のカード値を割り当てられる各区域を備えた２つの区域を有する二重値カードとして、４８枚のカードが構成される。４枚の残りのカードは、２つの別個の区域に分離されるが、それにも関わらず、各区域に標準デッキと同じトランプマークの２を示す単一値カードである。各カードの一方の区域にある色を、各カードの他の区域に全く異なる色を割当てることにより、特許文献７の５２枚のカードデッキは、実質的に２つの標準デッキをもたらし、そのうちの一方は、主要なデッキとして構成され、他方は副次的なデッキとして構成される。
【発明の開示】
【発明が解決しようとする課題】
【００１０】
本発明は、一部のカードが単一値カード（single-valued cards）であり、その他のカードが多値カード（multi-valued cards）である新しいトランプカードセットを開示する。
【課題を解決するための手段】
【００１１】
本発明のこのような実施形態の一つにおいて、各多値カードの表面は、二重値カードをもたらす少なくとも２つの全く異なる区域を備えて成る。各単一値カード及び各二重値カードの各区域は、クラブ、スペード、ダイヤ、ハートから選択されたトランプマークの２からエースまでのグループから選択されたカード値を表す表示（indicia）を含む。
【００１２】
本発明の一つの実施形態は、トランプカードセットを備えて成り、そこでは、各二重値カードの各区域に割当てられるカード値は、各区域におけるカード値の算術合計が各カードに関して１１と等しくなるようになっている。
【００１３】
様々な方法の実施形態が開示され、当該方法では、本発明のトランプカードセットがゲームの結果及び／又は一つ以上の持ち札の総体的なカード値を実現するために用いられる。
【００１４】
多数の実施形態が開示される一方で、いくつかの本発明の具体例が示され、記述される以下の詳細な記述から、本発明のさらに他の実施形態が当業者に明らかになろう。理解されるように、本発明は、本発明開示の精神と範囲から逸脱することの無い全ての様々な態様で変形可能である。したがって、図面と詳細な説明とは、事実上図解と見なされ、限定としては見なされない。
【発明を実施するための最良の形態】
【００１５】
二重値カードグループを備えて成るトランプセットにおいて、２つのカード値を割当てることのできる区域又は領域を配置するためのいくつかの可能性が存在する。本発明の実施形態のための５種類のそのような選択的な配置が、図１に示される。
【００１６】
図１ａにおいて、二重値カード３２の実施形態は、カード値を表示するための区域３４及び３６を含む。示されるように、区域３４は、クラブの４のカード値表示を割当てられており、区域３６は、クラブの７のカード値表示を割当てられている。二重値カード３２は、区域３４と３６とのカード値の算術合計を表す１１の表示を囲む領域３８も含む。両方のカード値が同一のトランプマーク（この場合、クラブ）である図１ａに示されるような二重値カードにとって、領域３８における１１の表示はクラブである。トランプゲームのルールに従って、有利には、図１ａのカードをクラブの７かクラブの４のいずれかとして、あるいは、クラブの１１としてプレーしうる。
【００１７】
図１ｂは、区域４４と４６とを備えて成る二重値カード４２の代わりの実施形態を示す。図示されるように、ダイヤの５のカード値が区域４４に割当てられ、ダイアの６のカード値が区域４６に割当てられる。
【００１８】
図１ｃにおいて、二重値カード２の実施形態は、囲み８の内部に囲まれた区域６を取り囲む区域４を含む。示されるように、区域４は、クラブの４のカード値表示を割当てられ、区域６は、ハートの７のカード値表示を割当てられる。図１ｄは、ライン１８によって分離される区域１４と区域１６とを備えて成る二重値カード１２の代わりの実施形態を示す。示されるように、ダイヤの９のカード値は、区域１４に割当てられ、スペードの２のカード値が区域１６に割当てられる。図１ｅは、ライン２８によって分離される区域２４と区域２６とを備えて成る二重値カード２２の別の実施形態を示す。示されるように、ハートの８のカード値は、区域２４に割当てられ、スペードの３のカード値は、区域２６に割当てられる。
【００１９】
図１に関して、二重値カードの表面におけるあらゆる区域の物理的な配置は、単に選択の問題であり、各区域を二重値カード上のどこにでも配置しうることに留意すべきである。さらに、特定の区域に対する特定のカード値及び／又はトランプマークの割り当ては選択の問題であり、しかも、高位又は低位のカード値の配置、又は、特定の区域に対する特別なトランプマークの割り当てに関して何らの要件も存在しない。さらに、囲い８又はライン１８あるいは２８は、区域間を区別するために及び／又はそれらを分離するために必ずしも必要ではない。異なる濃淡、色、方向、形状、大きさ等を備えて成る様々な代わりの実施形態が、区域間を区別するために用いられてもよい。また、特定のトランプマークの組み合わせに関する限定は全く存在しない。しかしながら、図１に示されるカードのような二重値カードのそれぞれにとって、カード値の算術合計は１１に等しくなければならない。
【００２０】
本発明の実施形態にしたがって、二重値カード上の２つのカード値の算術合計は、１１に等しくなければならない。本発明の一つの実施形態において、２は９と組み合わされなければならず、３は８と組み合わされなければならず、４は７と組み合わされなければならず、５は６と組み合わされなければならない。
【００２１】
本発明の別の実施形態において、二重値カードの区域に表されるトランプマークは、両区域において同じトランプマークとして、又は、各区域において同じ色であるが異なるトランプマークとして、又は、各区域において異なる色のトランプマークとしてのいずれかで組み合わされる。しかしながら、本発明の実施形態において、組み合わされるカード値のために選択される組み合わされるトランプマークは、組み合わされるトランプマークのための他の全ての組み合わされるカード値全てで実行されなければならず、それによって、組み合わされるトランプマークにとって２から９の２つのグループがもたらされる。例えば、クラブの２がダイヤの９と組み合わされる場合、クラブの３はダイヤの８と組み合わされなければならず、クラブの４はダイヤの７と組み合わされなければならない。
【００２２】
本発明のさらにもう一つの実施形態において、二重値トランプカードの特定の区域のために選択されたトランプマークは、そのトランプマークの全てのカード値に関して、同じ区域に適用されなければならない。一例として、トランプマークのクラブが図１ｃの実施形態における区域４に選択された場合、トランプマークのクラブは、２から９までの全てのカード値に関して区域４で用いられなければならない。
【００２３】
先の議論乃至考察から、クラブ、スペード、ダイヤ、ハートから成る４つのトランプマークの２から９までの範囲の各カード値が、二重値カードの２つの区域のそれぞれで２回から１回現れることが当業者には明らかであろう。
【００２４】
本発明の異なる実施形態のためのトランプカードセットにおける単一値カードの表面での別の配置が図２ａ〜２ｃに示される。例示を目的として、単一値カードが二重値様式で、すなわち図１ｃ〜１ｅの二重値カードと同様にそれらが区域化されて表される。しかしながら、本発明の実施形態では、図２ａ〜２ｃに図解されるように、同じカード値とトランプマークが二重値様式で現された単一値カードの両区域に割当てられる。さらに、各トランプマークに関して，単一値カードは、１０からエースまでのカード値を割当てられる。トランプゲームにおいて、図２ａ〜２ｃに図解される単一値カードは、２つの区域のいずれか一方に結び付けられたカード値とトランプマークを維持する。すなわち、２つの区域それぞれと結び付けられたカード値は、追加的ではない。
【００２５】
図２ｄは、単一値カードの別の実施形態を示し、当該単一値カードは、従来のトランプカードセットのカードと実質的に同様である。本発明の実施形態において、単一値カードは、各トランプマークに関して１０からエースまでのカード値に割当てられる。
【００２６】
図１及び図２に関する先の議論乃至考察から、本発明の実施形態にしたがって構成されるトランプカードセットでは、セットにおけるカードの力は、高い値のカードから低い値のカードにシフト乃至切り替わりうることが当業者には明らかであろう。これは、各二重値カード上のカード値の算術合計が１１と等しくなるように、低い値のカードそれぞれを二重値カードとして構成することで達成される。本発明の一つの実施形態にしたがうトランプカードセットにおいて、高い値のカードと低い値のカードとは、それぞれ、１０からエースまで及び２から９までと判断される。かくして、前述の力のシフトが、任意のカードのランクを変えることによってではなく、２から９までのカードの間の数の選択を２重にすることによって達成されることは、当業者には明らかであろう。
【００２７】
さらに、カードの力が低い値のカードの選択された数字に切り替わりうることは、当業者には明らかであろう。これは、代わりの実施形態で達成され、そこでは、算術合計１１をもたらすカード値の組み合わせが各トランプマークの６から９までのカードだけに制限される。トランプカードセットのこの種の一つの実施形態において、６は５と組み合わされ、７は４と組み合わされ、８は３と組み合わされ、９は２と組み合わされる。トランプカードセットのこの種の実施形態では、各トランプマークの２から５までのカードは組み合わされず、したがって、最も低い数を付けられたカード、すなわち２から５までのカードを扱う確率が増加させられる。
【００２８】
別の実施形態において、トランプカードセットは、６からエースまでの範囲にあるカード値で組立てられ、そこでは、６から９までのカードが２から５までのカード値と組み合わされた二重値カードであり、１０からエースまでのカードは単一値カードである。本発明の他の実施形態におけるように、二重値カードは、各二重値カードの区域におけるカード値の算術合計が１１と等しくなるように組み合わされる。例えば、６は５と組み合わされ、７は４と組み合わされ、８は３と組み合わされ、９は２と組み合わされる。
【００２９】
あるいは、本発明のいずれか一つの実施形態にしたがって構成される二重値トランプカードセットは、カードの２つの短辺の内の一方の２つのコーナーのそれぞれ一方に、２つのカード値とトランプマークの一つを表す表示を含む。この場合、カードの２つの短辺の内の第二の２つのコーナーは、第二の２つのカード値とトランプマークとを表す表示を含む。そのように構成されるカードの長所の一つは、プレーヤーには、即時の持ち札でプレーするために選択されるこれらカード値及びトランプマークだけを選択的に見るオプションが提供されることである。例えば、プレー中、プレーヤーは、概して、カードの左上側のコーナーに印されたトランプカード値とトランプマークとをさらす扇状の形態でカードを保持し、当該カード値とトランプマークとを、プレーヤーは即時の持ち札でプレーするために選択する。その代わりに、カードを、カードの右上側コーナーに印されたトランプカード値とトランプマークとをさらす扇状の形態で保持してもよく、当該カード値とトランプマークとを即時の持ち札でプレーするためにプレーヤーが選択する。プレーヤーがカードの反対側の短辺のコーナーに記されたカード値とトランプマークとでプレーしたいと望む場合は、その際、カードを１８０°回転すればよい。
【００３０】
トランプゲームでは、プレーのルールは、ゲームの前かそれともゲーム中に定められる。本発明のゲームの実施形態において、一つ以上の黒いトランプマーク、例えばスペードやクラブの所持者は、プレーヤーの持ち札における一枚以上の二重値カードに示された２つのカード値の内のいずれかでプレーすることを許容される。ゲームの代わりの実施形態では、プレーのルールは、一つ以上の赤いトランプマーク、例えばハート又はダイヤの所持者にはプレーヤーの持ち札における一枚以上の二重値カードに示された最も低いカード値でプレーすることを強いるように設定される。ゲームの別の実施形態では、一つ以上の黒いトランプマーク、例えばスペードとクラブの所持者は、プレーヤーの持ち札における一枚以上の二重値カードに示される２つのカード値の内のいずれかでプレーすることを許容される一方で、同時に、一つ以上の赤いトランプマーク、例えばハート又はダイヤの所持者にはプレーヤーの持ち札における一枚以上の二重値カードに示された最も低いカード値でプレーすることを強いる。ゲームのさらに別の実施形態では、プレーのルールによって、プレーヤーがどのように二重値カードでプレーするかを選択することを禁止するように設定しうる。そのような場合には、プレーヤーは、二重値カード上の２つの区域の内の特定の一方におけるカード値とトランプマークとで、分配されたように、プレーすることを要求される。
【００３１】
本発明のゲームの実施形態では、一つ以上の黒のトランプマーク、例えばスペードとクラブとは高位として指定され、それにより、プレーヤーの持ち札における一枚以上の二重値カードに示された一つ以上の黒いトランプマークの２つのカード値の内、より高い方でプレーすることをプレーヤーに強いる。例えば、図３に示される持ち札では、プレーヤーは、図３ａのカードをスペードの７としてプレーすることを要求される一方で、有利には、図３ｂ〜３ｄのカードを、それぞれ、クラブの４、スペードの２、スペードの３としてプレーする。図３ｅのカードは、有利には、プレーヤーによって望まれるように、及び、ゲームのルールに従って、ダイヤの６又は５のいずれかとしてプレーされる。
【００３２】
ゲームの別の実施形態では、一つ以上の赤いトランプマーク、例えばハート又はダイヤは低位として指定され、それにより、プレーヤーの持ち札における一枚以上の二重値カードに示された一つ以上の赤いトランプマークの２つのカード値の内、より低い方でプレーすることをプレーヤーに強いる。図３に示される持ち札にとって、プレーヤーは、図３ｅのカードをダイヤの５としてプレーすることを要求される一方で、有利には、図３ｂ〜３ｄのカードを、それぞれ、ダイヤの７、ダイヤの９、ハートの８としてプレーする。図３ａのカードは、有利には、プレーヤーによって望まれるように、及び、ゲームのルールに従って、クラブの４又はスペードの７のいずれかとしてプレーされる。
【００３３】
ゲームの代わりの実施形態では、一つ以上の黒いトランプマーク、例えばスペードとクラブとは、高位として指定され、それにより、プレーヤーの持ち札における一枚以上の二重値カードに示される一つ以上の黒いトランプマークの２つのカード値のより高い方でプレーすることをプレーヤーに強いる一方で、同時に、一つ以上の赤いトランプマーク、例えばハート又はダイヤを低位のトランプマークとして指定し、それにより、プレーヤーの持ち札における一枚以上の二重値カードに示された一つ以上の赤いトランプマークの２つのカード値の内、より低い方でプレーすることをプレーヤーに強いる。例えば、図３の持ち札において、プレーヤーは、図３ａのカードをスペードの７としてプレーすることを要求される一方で、同時に、図３ｅのカードをダイヤの５としてプレーすることを要求される。このようにすれば、図３ｂ〜３ｄのカードは、有利には、ゲームのルールによって決定されるように、及び／又は、プレーヤーにとって最も有利な方法でプレーされる。
【００３４】
本発明のゲームの実施形態では、一つ以上の黒いトランプマーク、例えばスペードとクラブとは高位として指定され、それにより、プレーヤーの持ち札における一枚以上の二重値カードに示された一つ以上の黒いトランプマークの２つのカード値の内、より高い方でプレーすることをプレーヤーに強いる。例えば、図３に示される持ち札では、プレーヤーは、図３ａのカードをスペードの７としてプレーすることを要求される一方で、有利には、図３ｂ〜３ｄのカードを、それぞれ、クラブの４、スペードの２、スペードの３としてプレーする。図３ｅのカードは、有利には、プレーヤーによって望まれるように、及び、ゲームのルールに従って、ダイヤの６又は５のいずれかとしてプレーされる。
【００３５】
本発明の実施形態は、本発明の一つ以上のトランプカードセットを用いる機器上でプレー可能な一つ以上のゲームの一つ以上の持ち札におけるカードを表示するための機器を含む。本機器は、表示を実行するためにプレーヤーによって使用可能な手段をも含む。本発明の一つのそのような実施形態において、表示は、プレーヤーによって選択された、及び／又は、ゲームのルールに従ったトランプカード値とトランプマークとだけを示すために制限されうる。例えば、プレーヤーが図３ａのカードをスペードの７としてプレーすることを決めた場合、その時は、機器は、カードがクラブの４でもあるいかなる指示もせずに、自動的に図３ａのカードをスペードの７として表示する。その代わりに、プレーヤーは、表示を実行するために提供される手段を使用してもよい。機器でプレーされるゲームの代わりの実施形態において、図３ａのカードは、表面ではスペードの７として、裏面ではクラブの４として表示されうる。機器上でプレーされるゲームの別の実施形態において、図３ａのカードは、カードの前面で優位を占めるスペードの７とカードの前面の比較的重要でない部分を占めるクラブの４とを表示する。その代わりに、図３ａのカードがクラブの４としてプレーされる場合、その時は、スペードの７ではなく、クラブの４がカードの表面で優位を占める配置で表示される。
【００３６】
この発明の機器の実施形態において、機器を操作するための、及び、ゲームの結果を実行し及び／又は一枚以上のトランプカードを選択するための手段が、プレーヤーに対して利用可能にされる。機器を操作するための手段は、とりわけ、針（stylus）、コンピュータタイプマウス、ローラーボールとボタンとの組み合わせ、操作棒（joystick）等を含む。そのような機器で、プレーヤーは、トランプゲームに用いられるべき二重値カード上の２つのカード値及びトランプマークのいずれか一方を選択することによって、ゲームの持ち札を操作しうる。
【００３７】
機器上でプレー可能なゲーム用のカード持ち札を表示するためのいくつかの他の代わりの形式が意図され、本発明の精神と範囲内で考慮される。本発明の一実施形態において、機器は、コンピューター、携帯ゲーム機器等のような電子機器でありえる。代わりに、機器は、電気機械機器、単なる機械機器等でもありえる。
【００３８】
様々な他の改良が、本発明の精神と範囲とから逸脱することなく、先に議論された例示的な実施形態でなされうる。既述の実施形態が特別な特徴を参照する一方で、この発明の範囲は、異なる組み合わせ又は特徴を有する実施形態をも含む。したがって、本発明は、添付される請求項の範囲内に収まるような全ての代案、改変、変形とその同等のもの全てを包含することを意図している。
【図面の簡単な説明】
【００３９】
【図１ａ】本発明の異なる実施形態のためのトランプカードセットにおける二重値カードの表面上の代わりの配置を示す。
【図１ｂ】本発明の異なる実施形態のためのトランプカードセットにおける二重値カードの表面上の代わりの配置を示す。
【図１ｃ】本発明の異なる実施形態のためのトランプカードセットにおける二重値カードの表面上の代わりの配置を示す。
【図１ｄ】本発明の異なる実施形態のためのトランプカードセットにおける二重値カードの表面上の代わりの配置を示す。
【図１ｅ】本発明の異なる実施形態のためのトランプカードセットにおける二重値カードの表面上の代わりの配置を示す。
【図２ａ】本発明の異なる実施形態のためのトランプカードセットにおける単一値カードの表面上の代わりの配置を示す。
【図２ｂ】本発明の異なる実施形態のためのトランプカードセットにおける単一値カードの表面上の代わりの配置を示す。
【図２ｃ】本発明の異なる実施形態のためのトランプカードセットにおける単一値カードの表面上の代わりの配置を示す。
【図２ｄ】本発明の異なる実施形態のためのトランプカードセットにおける単一値カードの表面上の代わりの配置を示す。
【図３ａ】プレーヤーの持ち札における例示的なトランプカードの図解である。
【図３ｂ】プレーヤーの持ち札における例示的なトランプカードの図解である。
【図３ｃ】プレーヤーの持ち札における例示的なトランプカードの図解である。
【図３ｄ】プレーヤーの持ち札における例示的なトランプカードの図解である。
【図３ｅ】プレーヤーの持ち札における例示的なトランプカードの図解である。
【符号の説明】
【００４０】
２    二重値カード
４    区域
６    区域
８    囲み
１２  二重値カード
１４  区域
１６  区域
１８  ライン
２２  二重値カード
２４  区域
２６  区域
２８  ライン
３２  二重値カード
３４  区域
３６  区域
３８  領域
４２  二重値カード
４４  区域
４６  区域
【図１ａ】
2009508572.tif 000003
【図１ｂ】
2009508572.tif 000004
【図１ｃ】
2009508572.tif 000005
【図１ｄ】
2009508572.tif 000006
【図１ｅ】
2009508572.tif 000007
【図２ａ】
2009508572.tif 000008
【図２ｂ】
2009508572.tif 000009
【図２ｃ】
2009508572.tif 000010
【図２ｄ】
2009508572.tif 000011
【図３ａ】
2009508572.tif 000012
【図３ｂ】
2009508572.tif 000013
【図３ｃ】
2009508572.tif 000014
【図３ｄ】
2009508572.tif 000015
【図３ｅ】
2009508572.tif 000016
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
単一値カードを含む第一カードグループであって、その各単一値カードがクラブ、スペード、ダイヤ、ハートから選択されたトランプマークのトランプカード値を表す表示を含む第一カードグループと、
二重値カードを含む第二カードグループであって、その各二重値カードがクラブ、スペード、ダイヤ、ハートから選択された一つ以上のトランプマークの少なくとも２つのトランプカード値を表す表示を含む第二カードグループと、
を備えて成るトランプカードセット。
【請求項２】
二重値カードそれぞれにおけるトランプカード値が、明確に異なるトランプマークからなる、請求項１のカード。
【請求項３】
二重値カードのそれぞれに関して、組み合わされるトランプマークは、組み合わされるトランプマークの各トランプカード値にとって同一である、請求項１に記載のカード。
【請求項４】
各二重値カードが、二重値カードの表面での２つのカード値の一方だけを表示するように構成される、請求項１に記載のトランプカード。
【請求項５】
２つのカード値の一方だけが二重値カードの表面で優位を占めるように、各二重値カードが構成される、請求項１のトランプカード。
【請求項６】
二重値カードそれぞれの少なくとも２つのトランプカード値の算術合計が１１と等しい、請求項１のトランプカード。
【請求項７】
第一カードグループが２０枚の単一値カードを備えて成り、
第二カードグループが３２枚の二重値カードを備えて成る、
請求項１のトランプカード。
【請求項８】
第二カードグループのそれぞれの表面が、第一の及び第二の特有な区域を含み、その第一の及び第二の特有な区域のそれぞれが、クラブ、スペード、ダイヤ、ハートから選択されたトランプマークの２から９までのグループから選択されたトランプカード値を表す表示を含む、請求項７のトランプカード。
【請求項９】
第一カードグループそれぞれの表面が、クラブ、スペード、ダイヤ、ハートから選択されたトランプマークの１０、ジャック、クィーン、キング、エースのグループから選択されたトランプカード値を表す表示を含む、請求項７のトランプカード。
【請求項１０】
第一カードグループそれぞれの表面が、第一の及び第二の特有の区域を含み、その第一の及び第二の区域それぞれが、クラブ、スペード、ダイヤ、ハートから選択されたトランプマークの１０、ジャック、クィーン、キング、エースのグループから選択されたトランプカード値を表す表示を含む、請求項７のトランプカード。
【請求項１１】
第一の及び第二の区域におけるトランプマークが同一である、請求項１０のトランプカード。
【請求項１２】
第一の及び第二の区域におけるトランプカード値が同一である、請求項１０のトランプカード。
【請求項１３】
二重値カードそれぞれのトランプカード値の算術合計が１１である、請求項８に記載のトランプカード。
【請求項１４】
第一カードグループが３６枚の単一値カードを備えて成り、
第二カードグループが１６枚の二重値カードを備えて成る、
請求項１のトランプカード。
【請求項１５】
第一カードグループそれぞれの表面が、クラブ、スペード、ダイヤ、ハートから選択されたトランプマークの１０からエースまでのグループ及び２から５までのグループから選択されたトランプカード値を表す表示を含む、請求項１４のトランプカード。
【請求項１６】
第一カードグループそれぞれの表面が、第一及び第二の特有な区域を含み、第一の及び第二の区域それぞれが、クラブ、スペード、ダイヤ、ハートから選択されたトランプマークの１０からエースまでのクループ及び２から５までのグループから選択されたトランプカード値を表す表示を含む、請求項１４のトランプカード。
【請求項１７】
第一の及び第二の区域でのトランプマークが同一である、請求項１６のトランプカード。
【請求項１８】
第一の及び第二の区域でのトランプカード値が同一である、請求項１６のトランプカード。
【請求項１９】
第二カードグループそれぞれの表面が、第一の及び第二の特有な区域を含み、
第一の区域は、クラブ、スペード、ダイヤ、ハートから選択されたトランプマークの２から５までのグループから選択されたトランプカード値を表す表示を含み、
第二の区域は、クラブ、スペード、ダイヤ、ハートから選択されたトランプマークの６から９までのグループから選択されたトランプカード値を表す表示を含む、
請求項１４のトランプカード。
【請求項２０】
二重値カードそれぞれのトランプカード値の算術合計が１１である、請求項１９のトランプカード。
【請求項２１】
第一カードグループが２０枚の単一値カードを備えて成り、
第二カードグループが１６枚の二重値カードを備えて成る、
請求項１のトランプカード。
【請求項２２】
第一カードグループそれぞれの表面が、クラブ、スペード、ダイヤ、ハートから選択されたトランプマークの１０からエースまでのグループから選択されたトランプカード値を表す表示を含む、請求項２１のトランプカード。
【請求項２３】
第二カードグループそれぞれの表面が、第一の及び第二の特有な区域を含み、
第一の区域は、クラブ、スペード、ダイヤ、ハートから選択されたトランプマークの２から５までのグループから選択されたトランプカード値を表す表示を含み、
第二の区域は、クラブ、スペード、ダイヤ、ハートから選択されたトランプマークの６から９までのグループから選択されたトランプカード値を表す表示を含む、
請求項２１のトランプカード。
【請求項２４】
二重値カードそれぞれのトランプカード値の算術合計が１１である、請求項２３のトランプカード。